(57)【要約】本願はエアコン室内機及びエアコンを開示する。当該エアコン室内機は、送風フレーム、前ドレンパン及びパネルを含む。送風フレームは上囲い板、下囲い板及び二つの対向する横囲い板を含み、前ドレンパンは上囲い板の上端に形成され、前ドレンパンは横囲い板より凸出している二つの凸出部を含み、凸出部の下側は前へ開口する格納チャンバーを形成し、凸出部には格納チャンバーに格納される放水管が設置されている。パネルは第一カバー部及び第二カバー部を有し、カバー状態にあるとき、一方の格納チャンバーが第一カバー部にカバーされ、他方の格納チャンバーが第二カバー部にカバーされ、開放状態にあるとき、二つの格納チャンバーの前側が露出する。本発明の技術案によれば、放水管と排水管の脱着利便性を向上できる。【選択図】図１
2020524255.tif 000002
【特許請求の範囲】
【請求項１】
上囲い板、下囲い板、及び前記上囲い板と下囲い板の間に位置する二つの対向する横囲い板を含む送風フレームと、
前記上囲い板の上端に形成された前ドレンパンであって、前記横囲い板より凸出している二つの凸出部を含み、前記凸出部の下側は前へ開口する格納チャンバーを形成し、前記凸出部には前記格納チャンバーに格納される放水管が設置されている、前ドレンパンと、
第一カバー部及び第二カバー部を有するパネルであって、カバー状態にあるとき、一方の前記格納チャンバーが前記第一カバー部にカバーされ、他方の前記格納チャンバーが前記第二カバー部にカバーされ、前記パネルが開放状態にあるとき、二つの前記格納チャンバーの前側が露出する、パネルと、を含む
ことを特徴とするエアコン室内機。
【請求項２】
前記パネルは、互いに組み合わされて前記エアコン室内機のフレームの前面を覆う上パネルと下パネルとを含み、前記フレームは上支柱、下フレーム、及び前記上支柱と前記下フレームとの間に位置する二つの対向する横接続部材を含み、前記上パネルの上端は前記上支柱の前端と接続され、前記下パネルの下端は前記エアコン室内機のベースの下端と接続され、前記下パネルには前記送風フレームと繋がる送風口が設けられており、且つ、第一カバー部及び第二カバー部が前記下パネルに形成されている
ことを特徴とする請求項１に記載のエアコン室内機。
【請求項３】
前記第二カバー部は横板及び後ろへ凸出する凸板を含み、前記横板は前記送風口の前記第一カバー部から離れた側縁から後ろへ延びるように形成され、前記凸板の上下両端の縁部はそれぞれ前記送風口の上縁部と下縁部に気密に接続され、前記凸板の前記第一カバー部から離れた一端は、前記横板と気密に接続され、前記下パネルがカバー状態にあるとき、前記凸板の前記第一カバー部の方を向いた一端は、近接する横囲い板の外表面に気密に当接される
ことを特徴とする請求項２に記載のエアコン室内機。
【請求項４】
前記第二カバー部に近接する前記横囲い板の外表面には掛け縁部が設置され、前記掛け縁部は他方の前記横囲い板から離れる方向に沿って延びるように形成され、前記下パネルがカバー状態にあるとき、前記掛け縁部は前記凸板の後表面と気密に当接されている
ことを特徴とする請求項３に記載のエアコン室内機。
【請求項５】
前記下パネルがカバー状態にあるとき、前記凸板と前記放水管の間には間隔が空いている
ことを特徴とする請求項３に記載のエアコン室内機。
【請求項６】
前記エアコン室内機の導風組立体は前記下パネルに設置され、前記導風組立体は前記送風口に設置されている導風板及び前記導風板を駆動するための駆動機構を含み、前記凸板、前記横板及び近接する前記横囲い板によって取り囲まれ前へ開口する退避チャンバーが形成され、前記導風板は前記退避チャンバー内で回動できる
ことを特徴とする請求項３に記載のエアコン室内機。
【請求項７】
前記駆動機構は前記横板の外側面に設置され、且つ、接続導線を介して前記エアコン室内機の電気制御ボックスと接続され、
前記下パネルが開放状態にあるとき、前記接続導線と前記モータの接続ポイントと、前記接続導線と前記電気制御ボックスの接続ポイントとの間の距離をＬとすると、前記接続導線の長さはＬより長い
ことを特徴とする請求項６に記載のエアコン室内機。
【請求項８】
前記接続導線には取り外し可能継手である二つの導線接続端子が設置されている
ことを特徴とする請求項７に記載のエアコン室内機。
【請求項９】
前記第二カバー部と前記駆動機構は何れも前記送風口の前記電気制御ボックスに近接する一端に設置されており、前記下パネルがカバー状態にあるとき、前記接続導線は前記格納チャンバーに収容されている
ことを特徴とする請求項７に記載のエアコン室内機。
【請求項１０】
前記下パネルにはさらに繋ぎ板が設置されており、前記繋ぎ板は前記送風口の縁部から後ろへ延びて形成されており、前記下パネルがカバー状態にあるとき、前記繋ぎ板は前記送風フレームの風路内壁面と繋がる
ことを特徴とする請求項２に記載のエアコン室内機。
【請求項１１】
エアコン室内機を含むエアコンであって、前記エアコン室内機は、
上囲い板、下囲い板、及び前記上囲い板と下囲い板の間に位置する二つの対向する横囲い板を含む送風フレームと、
前記上囲い板の上端に形成された前ドレンパンであって、前記横囲い板より凸出している二つの凸出部を含み、前記凸出部の下側は前へ開口する格納チャンバーを形成し、前記凸出部には前記格納チャンバーに格納される放水管が設置されている、前ドレンパンと、
第一カバー部及び第二カバー部を有するパネルであって、カバー状態にあるとき、一方の前記格納チャンバーが前記第一カバー部にカバーされ、他方の前記格納チャンバーが前記第二カバー部にカバーされ、前記パネルが開放状態にあるとき、二つの前記格納チャンバーの前側が露出する、パネルと、を含む
ことを特徴とするエアコン。
【請求項１２】
前記パネルは、互いに組み合わされて前記エアコン室内機のフレームの前面を覆う上パネルと下パネルを含み、前記フレームは上支柱、下フレーム、及び前記上支柱と前記下フレームとの間に位置する二つの対向する横接続部材を含み、前記上パネルの上端は前記上支柱の前端と接続され、前記下パネルの下端は前記エアコン室内機のベースの下端と接続され、前記下パネルには前記送風フレームと繋がる送風口が設けられており、且つ、第一カバー部及び第二カバー部が前記下パネルに形成されている
ことを特徴とする請求項１１に記載のエアコン。
【請求項１３】
前記第二カバー部は横板及び後ろへ凸出する凸板を含み、前記横板は前記送風口の前記第一カバー部から離れた側縁から後ろへ延びるように形成され、前記凸板の上下両端の縁部はそれぞれ前記送風口の上縁部と下縁部に気密に接続され、前記凸板の前記第一カバー部から離れた一端は、前記横板と気密に接続され、前記下パネルがカバー状態にあるとき、前記凸板の前記第一カバー部の方を向いた一端は、近接する横囲い板の外表面に気密に当接される
ことを特徴とする請求項１２に記載のエアコン。
【請求項１４】
前記第二カバー部に近接する前記横囲い板の外表面には掛け縁部が設置され、前記掛け縁部は他方の前記横囲い板から離れる方向に沿って延びるように形成され、前記下パネルがカバー状態にあるとき、前記掛け縁部は前記凸板の後表面と気密に当接されている
ことを特徴とする請求項１３に記載のエアコン。
【請求項１５】
前記下パネルがカバー状態にあるとき、前記凸板と前記放水管の間には間隔が空いている
ことを特徴とする請求項１３に記載のエアコン。
【請求項１６】
前記エアコン室内機の導風組立体は前記下パネルに設置され、前記導風組立体は前記送風口に設置されている導風板及び前記導風板を駆動するための駆動機構を含み、前記凸板、前記横板及び近接する前記横囲い板によって取り囲まれ前へ開口する退避チャンバーが形成され、前記導風板は前記退避チャンバー内で回動できる
ことを特徴とする請求項１３に記載のエアコン。
【請求項１７】
前記駆動機構は前記横板の外側面に設置され、且つ、接続導線を介して前記エアコン室内機の電気制御ボックスと接続され、
前記下パネルが開放状態にあるとき、前記接続導線と前記モータの接続ポイントと、前記接続導線と前記電気制御ボックスの接続ポイントとの間の距離をＬとすると、前記接続導線の長さはＬより長い
ことを特徴とする請求項１６に記載のエアコン。
【請求項１８】
前記接続導線には取り外し可能継手である二つの導線接続端子が設置されている
ことを特徴とする請求項１７に記載のエアコン。
【請求項１９】
前記第二カバー部と前記駆動機構は何れも前記送風口の前記電気制御ボックスに近接する一端に設置されており、前記下パネルがカバー状態にあるとき、前記接続導線は前記格納チャンバーに収容されている
ことを特徴とする請求項１７に記載のエアコン。
【請求項２０】
前記下パネルにはさらに繋ぎ板が設置されており、前記繋ぎ板は前記送風口の縁部から後ろへ延びて形成されており、前記下パネルがカバー状態にあるとき、前記繋ぎ板は前記送風フレームの風路内壁面と繋がる
ことを特徴とする請求項１２に記載のエアコン。
【発明の詳細な説明】
【技術分野】
【０００１】
本発明は空調技術分野に関し、特にエアコン室内機及びエアコンに関する。
【背景技術】
【０００２】
現在よく見かけるエアコン室内機において、熱交換器の下端にドレンパンが設置されており、ドレンパンの左右両端には排水管と連通する放水管が設置されており、熱交換器上の凝縮水はドレンパンに落ちてから放水管を経てそして排水管から排出される。しかし、エアコン室内機の送風フレームの左右側端には通常、風漏れや内部素子の露出を防止するプレートが設置されている。また、送風口が設けられている位置にあるケーシングに遮られている上、当該位置のケーシングは取り外しにくいので、エアコン室内機の正面から放水管と排水管の接続箇所は見えないようになっている。排水管を脱着させる必要がある場合、手間をかけてエアコン室内機を壁から取り外して、そしてエアコン室内機の背面から手を入れて排水管をねじり出す必要があるため、これにより放水管と排水管の脱着や修理が非常に不便になっている。
【発明の概要】
【発明が解決しようとする課題】
【０００３】
本願の主な目的は、エアコン室内機の放水管と排水管の脱着利便性を向上させるエアコン室内機を提供することである。
【課題を解決するための手段】
【０００４】
上記目的を実現するために、本願が提案するエアコン室内機は、送風フレーム、前ドレンパン及びパネルを含み、送風フレームは上囲い板、下囲い板及び前記上囲い板と下囲い板の間に位置する二つの対向する横囲い板を含み、前ドレンパンは前記上囲い板の上端に形成され、前記前ドレンパンは前記横囲い板より凸出している二つの凸出部を含み、前記凸出部の下側は前へ開口する格納チャンバーを形成し、前記凸出部には前記格納チャンバーに格納される放水管が設置されており、前記パネルは第一カバー部及び第二カバー部を有し、カバー状態にあるとき、一方の前記格納チャンバーが前記第一カバー部にカバーされ、他方の前記格納チャンバーが前記第二カバー部にカバーされ、前記パネルが開放状態にあるとき、二つの前記格納チャンバーの前側が露出する。
【０００５】
好ましくは、前記パネルは互いに組み合わされて前記エアコン室内機のフレームの前面を覆う上パネルと下パネルとを含み、前記フレームは上支柱、下フレーム、及び前記上支柱と前記下フレームとの間に位置する二つの対向する横接続部材を含み、前記上パネルの上端は前記上支柱の前端と接続され、前記下パネルの下端は前記ベースの下端と接続され、前記下パネルには前記送風フレームと繋がる送風口が設けられており、且つ、第一カバー部及び第二カバー部が前記下パネルに形成されている。前記エアコン室内機はさらに導風組立体を含み、前記導風組立体は前記下パネルに設置されている。
【０００６】
好ましくは、前記第二カバー部は横板及び後ろへ凸出する凸板を含み、前記横板は前記送風口の前記第一カバー部から離れた側縁から後ろへ延びるように形成され、前記凸板の上下両端の縁部はそれぞれ前記送風口の上縁部と下縁部に気密に接続され、前記凸板の前記第一カバー部から離れた一端は前記横板と気密に接続され、前記下パネルがカバー状態にあるとき、前記凸板の前記第一カバー部の方を向いた一端は近接する横囲い板の外表面に気密に当接される。
【０００７】
好ましくは、前記第二カバー部に近接する前記横囲い板の外表面には掛け縁部が設置され、前記掛け縁部は他方の前記横囲い板から離れる方向に沿って延びるように形成され、前記下パネルがカバー状態にあるとき、前記掛け縁部は前記凸板の後表面と気密に当接されている。
【０００８】
好ましくは、前記下パネルがカバー状態にあるとき、前記凸板と前記放水管の間には間隔が空いている。
【０００９】
好ましくは、前記エアコン室内機の導風組立体は前記下パネルに設置され、前記導風組立体は前記送風口に設置されている導風板及び前記導風板を駆動するための駆動機構を含み、前記凸板、前記横板及び近接する前記横囲い板によって取り囲まれ前へ開口する退避チャンバーが形成され、前記導風板は前記退避チャンバー内で回動できる。
【００１０】
好ましくは、前記駆動機構は前記横板の外側面に設置され、且つ、接続導線を介して前記エアコン室内機の電気制御ボックスと接続され、
前記下パネルが開放状態にあるとき、前記接続導線と前記モータの接続ポイントと、前記接続導線と前記電気制御ボックスの接続ポイントとの間の距離をＬとすると、前記接続導線の長さはＬより長い。
【００１１】
好ましくは、前記接続導線上には取り外し可能継手である二つの導線接続端子が設置されている。
【００１２】
好ましくは、前記第二カバー部と前記駆動機構は何れも前記送風口の前記電気制御ボックスに近接する一端に設置されており、前記下パネルがカバー状態にあるとき、前記接続導線は前記格納チャンバーに収容されている。
【００１３】
好ましくは、前記下パネルにはさらに繋ぎ板が設置されており、前記繋ぎ板は前記送風口の縁部から後ろへ延びて形成されており、前記下パネルがカバー状態にあるとき、前記繋ぎ板は前記送風フレームの風路内壁面と繋がる。
【００１４】
本発明はエアコン室内機を含むエアコンを提案する。当該エアコン室内機は送風フレーム、前ドレンパン及びパネルを含み、送風フレームは上囲い板、下囲い板、及び前記上囲い板と下囲い板の間に位置する二つの対向する横囲い板を含み、前ドレンパンは前記上囲い板の上端に形成され、前記前ドレンパンは前記横囲い板に凸出している二つの凸出部を含み、前記凸出セグメントの下側が前へ開口する格納チャンバーを形成し、前記凸出部には前記格納チャンバーに格納される放水管が設置されており、前記パネルは第一カバー部及び第二カバー部を有し、カバー状態にあるとき、一方の前記格納チャンバーが前記第一カバー部にカバーされ、他方の前記格納チャンバーが前記第二カバー部にカバーされ、前記パネルが開放状態にあるとき、二つの前記格納チャンバーの前側が露出する。
【００１５】
好ましくは、前記パネルは互いに組み合わされて前記エアコン室内機のフレームの前面を覆う上パネルと下パネルを含み、前記フレームは上支柱、下フレーム、及び前記上支柱と前記下フレームとの間に位置する二つの対向する横接続部材を含み、前記上パネルの上端は前記上支柱の前端と接続され、前記下パネルの下端は前記ベースの下端と接続され、前記下パネルには前記送風フレームと繋がる送風口が設けられており、且つ、第一カバー部及び第二カバー部が前記下パネル上に形成されている。前記エアコン室内機はさらに導風組立体を含み、前記導風組立体は前記下パネルに設置されている。
【００１６】
好ましくは、前記第二カバー部は横板及び後ろへ凸出する凸板を含み、前記横板は前記送風口の前記第一カバー部から離れた側縁から後ろへ延びるように形成され、前記凸板の上下両端の縁部はそれぞれ前記送風口の上縁部と下縁部に気密に接続され、前記凸板の前記第一カバー部から離れた一端は前記横板と気密に接続され、前記下パネルがカバー状態にあるとき、前記凸板の前記第一カバー部の方を向いた一端は近接する横囲い板の外表面に気密に当接される。
【００１７】
好ましくは、前記第二カバー部に近接する前記横囲い板の外表面には掛け縁部が設置され、前記掛け縁部は他方の前記横囲い板から離れる方向に沿って延びるように形成され、前記下パネルがカバー状態にあるとき、前記掛け縁部は前記凸板の後表面と気密に当接されている。
【００１８】
好ましくは、前記下パネルがカバー状態にあるとき、前記凸板と前記放水管の間には間隔が空いている。
【００１９】
好ましくは、前記エアコン室内機の導風組立体は前記下パネルに設置され、前記導風組立体は前記送風口に設置されている導風板及び前記導風板を駆動するための駆動機構を含み、前記凸板、前記横板及び近接する前記横囲い板によって取り囲まれ前へ開口する退避チャンバーが形成され、前記導風板は前記退避チャンバー内で回動できる。
【００２０】
好ましくは、前記駆動機構は前記横板の外側面に設置され、且つ、接続導線を介して前記エアコン室内機の電気制御ボックスと接続され、
前記下パネルが開放状態にあるとき、前記接続導線と前記モータの接続ポイントと、前記接続導線と前記電気制御ボックスの接続ポイントとの間の距離をＬとすると、前記接続導線の長さはＬより長い。
【００２１】
好ましくは、前記接続導線には取り外し可能継手である二つの導線接続端子が設置されている。
【００２２】
好ましくは、前記第二カバー部と前記駆動機構は何れも前記送風口の前記電気制御ボックスに近接する一端に設置されており、前記下パネルがカバー状態にあるとき、前記接続導線は前記格納チャンバーに収容されている。
【００２３】
好ましくは、前記下パネルにはさらに繋ぎ板が設置されており、前記繋ぎ板は前記送風口の縁部から後ろへ延びて形成されており、前記下パネルがカバー状態にあるとき、前記繋ぎ板は前記送風フレームの風路内壁面と繋がる。
【００２４】
本発明のエアコン室内機の技術案において、導風組立体はパネルに追随して開くことができ、かつ、放水管を格納している格納チャンバーの前側がパネルの開きと共に外へ露出できるので、排水管の脱着が必要になったとき、便利にエアコン室内機の正面に位置する格納チャンバー中で排水管と放水管とを分離でき、放水管と排水管との脱着の利便性を向上できる。同時に、パネルを閉じて、エアコン室内機が使用状態にあるとき、パネルには二つの格納チャンバーをそれぞれカバーする第一カバー部及び第二カバー部が設置されているので、格納チャンバーから露出する内部部品を有効に覆い隠し、且つ、エアコン室内機から吹き出される冷たい風が格納チャンバーに入ることもなく、エアコン室内機の内部での結露現象の発生を有効に防止できる。また、本発明の技術案において、導風組立体がパネルに追随して開く構成は、送風フレームの関連風路部品の取り外しに有利で、関連部品の修理やメンテナンス、及び徹底した掃除を大いに便利にする。
【図面の簡単な説明】
【００２５】
本発明の実施例及び従来技術の技術案をより明確に説明するため、以下では、実施例或いは従来技術の説明に必要とされる図面を簡単に紹介する。下記説明における図面は本発明の一部の実施例に過ぎないことは明らかであって、当業者にとって、創造的な労働を行わないことを前提に、これらの図面が示す構造により他の図面を得ることができる。
【００２６】
【図１】本発明のエアコン室内機の一実施例の前記パネルが開放状態にある場合の構造模式図である。
【図２】図１のＡ部分の拡大模式図である。
【図３】図１における前記パネルが開放状態にある場合の分解図である。
【図４】図１における下パネル、導風組立体、送風フレーム及び前ドレンパンの組立状態を、ある角度から見た構造模式である。
【図５】図１における下パネル、導風組立体、送風フレーム及び前ドレンパンの組立状態を、別の角度から見た構造模式である。
【図６】図４における下パネルと導風組立体との組立状態を、ある角度から見た構造模式図である。
【図７】図６のＢ部分の拡大模式図である。
【図８】図４における下パネルを別の角度から見た構造模式図である。
【００２７】
図面を参照して、実施例と組み合わせて本発明の目的の実現、機能特徴及び長所をさらに説明する。
【発明を実施するための形態】
【００２８】
以下では、本発明の実施例における添付図面と組み合わせ、本発明の実施例における技術案を明確且つ完全に説明する。説明される実施例は本発明の全ての実施例ではなく、本願の一部の実施例に過ぎないことは明らかである。本発明における実施例に基づいて、当業者が創造的な労働を行わないことを前提に得られた全ての他の実施例は、本発明の保護する範囲に属す。
【００２９】
なお、もし本発明の実施例で方向性指示（例えば上、下、左、右、前、後、…）に関わる場合、当該方向性指示はある特定の姿勢（図面に示す）における各部品間の相対的位置関係、運動状況等を説明するためだけに用いられ、もし当該特定の姿勢が変わる場合、当該方向性指示もそれ相応に変わる。
【００３０】
また、本発明の実施例において「第一」、「第二」等の説明に関わる場合、当該「第一」、「第二」等の説明は、説明のために利用されるだけであって、その相対的重要性を提示又は暗示する、或いは提示される技術的特徴の数を暗示的に指定するように理解すべきではない。これにより、「第一」、「第二」に限定されている特徴は明示的或いは暗示的に少なくとも一つの当該特徴を含んでもよい。また、各実施例の技術案はお互いに組み合わせることができる。ただし、当業者が実現できることが前提である。技術案の組み合わせに矛盾が生じるか、実現できない場合には、このような技術案の組み合わせが存在しない、且つ本発明が主張する保護範囲にないと理解すべきである。
【００３１】
本発明ではエアコン室内機を提案する。
【００３２】
図１から図８を参照し、本発明の一実施例において、当該エアコン室内機は具体的には壁掛け式エアコン室内機であり、当該エアコン室内機はベース（符号なし）、フレーム、送風フレーム３、前ドレンパン４、パネル５及び導風組立体を含む。ベースは、前方へ向かって下向きに延びて形成されている後囲い板１１を含む。フレーム（符号なし）は上支柱（符号なし）、下フレーム（不図示）及び上支柱と下フレームの間に位置する二つの対向する横接続部材２１を含む。送風フレーム３は上囲い板３１、下囲い板３２、及び上囲い板３１と下囲い板３２の間に位置する二つの対向する横囲い板３３を含む。前ドレンパン４は上囲い板３１の上端に形成され、前ドレンパン４は横囲い板３３より凸出している二つの凸出部４１を含み、凸出部４１の下側が前へ開口する格納チャンバー４２を形成している。凸出部４１には格納チャンバー４２に格納される放水管４３が設置されている。パネル５はそれぞれ送風口５１の左右両端に近接する第一カバー部５２及び第二カバー部５３を有し、カバー状態にあるとき、一方の格納チャンバー４２は第一カバー部５２にカバーされ、他方の格納チャンバー４２は第二カバー部５３にカバーされる。パネル５が開放状態にあるとき、二つの格納チャンバー４２の前側は露出している。
【００３３】
ここでは、少なくとも一つの格納チャンバー４２内において、後囲い板１１の放水管４３の開口端に対応する箇所に通り穴１１１が設置されており、当該通り穴１１１はエアコン室内機の排水管（不図示）が貫通して放水管４３と取り外し可能に接続されるためのものであり、即ち、放水管４３と排水管の接続箇所は格納チャンバー４２内に格納されていることは、説明しておく必要がある。それに、他の実施例においてエアコン室内機の導風ルーバーもパネル５の送風口５１内に設置されてもよい。
【００３４】
本実施例では、導風組立体はパネル５に追随して開くことができ、且つ放水管４３を格納している格納チャンバー４２の前側はパネル５の開放により外に露出するので、排水管の脱着が必要になった場合、とても便利にエアコン室内機の正面に位置する格納チャンバー４２内で排水管を放水管４３から分離して、これにより放水管４３と排水管との脱着の利便性を向上させることができる。これと共に、パネル５を閉じて、エアコン室内機が使用状態にあるとき、パネル５にはさらに二つの格納チャンバー４２をそれぞれカバーするための第一カバー部５２及び第二カバー部５３が設置されているため、格納チャンバー４２において露出する内部部品を有効に覆うことができ、エアコン室内機から吹き出される冷たい風が格納チャンバー４２内に入ることもなく、有効にエアコン室内機の内部での結露現象の発生を有効に防止できる。また、本発明の技術案において、導風組立体がパネル５に追随して開く構成は、送風フレーム３の関連風路部品の取り外しに有利であり、関連部品の修理やメンテナンス、及び徹底した掃除を大いに便利にする。
【００３５】
具体的には、図１、図３と図８を参照し、本実施例では、パネル５は互いに組み合わされてフレームの前面を覆う上パネル５６と下パネル５７を含み、上パネル５６の上端は上支柱の前端と枢接されており、下パネル５７の下端はベースの下端と枢接されており、パネル５には送風フレーム３と繋がる送風口５１が設けられており、且つ、第一カバー部５２及び第二カバー部５３は何れも下パネル５７上に形成されている。勿論、他の実施例では、パネル５全体を一つの板として設置してもよく、パネル５を上端或いは下端から開くようにしてもよい。しかし、本実施例では、パネル５は上パネル５６と下パネル５７に分かれて、且つ、上パネル５６と下パネル５７が何れも回動して開ける方式は、エアコン室内機の修理やメンテナンスの利便性を向上できると共に、使用者の使用感を改善できる。使用者がフィルターだけを洗浄する必要がある場合、上パネル５６だけを開き、送風フレーム３等に対して徹底した洗浄を行う必要がある場合、さらに下パネル５７を開けばよい。
【００３６】
具体的には、図２、図４及び図７を参照し、本実施例では、第二カバー部５３は横板５３２及び後ろへ凸出する凸板５３１を含み、横板５３２は送風口５１の第一カバー部５２から離れた側縁から後ろへ延びるように形成され、凸板５３１の上下両端の縁部はそれぞれ送風口５１の上縁部と下縁部と気密に接続され、凸板５３１の第一カバー部５２から離れた一端は横板５３２と気密に接続されている。下パネル５７がカバー状態にあるとき、凸板５３１の第一カバー部５２の方を向いた一端は近接する横囲い板３３の外表面に気密に当接されることで、一方側の格納チャンバー４２に対するカバーを実現する。しかも、カバーした後に、凸板５３１は放水管４３の前方に位置して、且つ、カバーするときのぶつかりによる損傷を防ぐために、凸板５３１と放水管４３の間に間隔を空ける必要がある。また、本実施例では、第一カバー部５２は横板５３２と対向する凸出縁部であり、且つ、当該凸出縁部は送風口５１の第二カバー部５３から離れた側縁から後ろへ延びるように形成され、下パネル５７がカバー状態にあるとき、当該凸出縁部は近接する横囲い板３３と気密に当接されている。ここで、エアコン室内機の導風組立体は下パネル５７上に設置されて、送風口５１に設置されている導風板５４と、導風板５４を駆動するための駆動機構５５とを含む。凸板５３１が後ろへ凸出する構成により、凸板５３１、横板５３２及び近接する横囲い板３３によって取り囲まれた前へ開口する退避チャンバーが形成され、導風板５４が退避チャンバー内で回動できることで、導風板５４が回動するときの退避効果を実現して、第二カバー部５３と導風板５４との相互干渉を防ぐ。また、凸板５３１と横板５３２の設置により、送風口５１に基本的な左右対象を実現させることができ、製品の外観美観度の維持に有利である。
【００３７】
さらに、図３を合わせて参照し、本実施例では、第二カバー部５３に近接する横囲い板３３の外表面には掛け縁部３３１が設置され、掛け縁部３３１は他方の横囲い板３３から離れる方向に沿って外へ延びるように形成されている。下パネル５７がカバー状態にあるとき、掛け縁部３３１は凸板５３１の後表面と気密に当接されている。掛け縁部３３１の設置により、一方では第二カバー部５３のカバーの密封性をさらに向上させて、冷たい風が格納チャンバー４２中に入って結露現象を起こすのを防ぐことができ、もう一方では、凸板５３１に対して一定の位置決め効果を実現できる。
【００３８】
図１、図２と図７を参照し、本実施例では、下パネル５７の回動時の干渉を減少させるために、第二カバー部５３と駆動機構５５は何れも好ましく送風口５１の電気制御ボックス６に近接する一端に設置されている。具体的には、駆動機構５５は駆動モータであり、当該駆動モータは好ましく横板５３２の外側面に設置され、且つ、一つの接続導線５５１を介してエアコン室内機の電気制御ボックス６と接続されて、導風板５４の回動に対する制御を実現する。
【００３９】
さらに、下パネル５７が開放状態にあるとき、接続導線５５１とモータの接続ポイントと、接続導線５５１と電気制御ボックス６の接続ポイントとの間の距離をＬとすると、接続導線５５１の長さはＬより長い。下パネル５７がカバー状態にあるとき、接続導線５５１は格納チャンバー４２に収容できる。ここで、接続導線５５１を余分に長くする構成により、下パネル５７が回動するときに接続導線５５１が引っ張られて損傷することを防止でき、下パネル５７の回動に干渉することもない。さらに、図２と図７に示すように、接続導線５５１には取り外し可能継手である二つの導線接続端子５５２が設置されている。こうして下パネル５７と共に駆動機構５５を取り外す必要がある場合、接続導線５５１を簡単に導線接続端子５５２のところから取り外すことができ、駆動機構５５或いは電気制御ボックス６を取り外す必要はなく、駆動機構５５の脱着の利便性を有効に向上できる。
【００４０】
また、図８を合わせて参照し、本実施例では、さらに、下パネル５７上にはさらに繋ぎ板５７１が設置されており、繋ぎ板５７１は送風口５１の縁部から後ろへ延びて形成されている。下パネル５７がカバー状態にあるとき、繋ぎ板５７１は送風フレーム３の風路内壁面と繋がることで、平滑な送風風路を形成でき、且つ、当該繋ぎ板５７１の設置により導風板により多くの回動空間を提供できる。
【００４１】
本発明は更に、エアコン室内機を含むエアコンを提供する。当該エアコン室内機の具体的な構造については、上記実施例を参照されたい。本エアコンは上記全ての実施の全ての技術案を採用したので、少なくとも上記実施例の技術案がもたらす全ての技術的効果を奏するが、ここでは逐一説明しない。
【００４２】
以上に述べたことは本発明の好ましい実施例にすぎず、それによって本発明の特許の範囲を制限するわけではない。本発明の発明構想の下で、本発明の明細書及び図面の内容を利用してなされた等価構造変換、或いは他の関連する技術分野への直接／間接的な応用は、何れも本発明の特許の保護範囲に含まれる。
【符号の説明】
【００４３】
１１  後囲い板
１１１  通り穴
６  電気制御ボックス
２１  横接続部材
３  送風フレーム
３１  上囲い板
３２  下囲い板
３３  横囲い板
３３１  掛け縁部
４  前ドレンパン
４１  凸出部
４２  格納チャンバー
４３  放水管
５  パネル
５１  送風口
５２  第一カバー部
５３  第二カバー部
５４  導風板
５５  駆動機構
５６  上パネル
５７  下パネル
５７１  繋ぎ板
５３１  凸板
５３２  横板
５５１  接続導線
５５２  導線接続端子
【図１】
2020524255.tif 000003
【図２】
2020524255.tif 000004
【図３】
2020524255.tif 000005
【図４】
2020524255.tif 000006
【図５】
2020524255.tif 000007
【図６】
2020524255.tif 000008
【図７】
2020524255.tif 000009
【図８】
2020524255.tif 000010
【国際調査報告】
2020524255.tif 000011
2020524255.tif 000012
2020524255.tif 000013
2020524255.tif 000014
2020524255.tif 000015
2020524255.tif 000016